(57)【要約】 【課題】  複数の貯湯タンクからの同時排水を可能にして排水時間を短縮できるようにし、サービス性の向上にも繋がる貯湯式給湯器を提供することを目的とする。【解決手段】  直列接続された複数の貯湯タンク４，６と、取水側の貯湯タンク４上部と給湯側の貯湯タンク６底部とを連結する連結管５と、一端が前記複数の貯湯タンク４，６の底部と連通するように接続された複数の排水管１２，１３と、前記複数の排水管１２，１３の他端を互いに接続して合流させ、その合流部或いは合流部よりも下流側に設けた１つの排水バルブ１１と、を備えた貯湯式給湯器において、前記取水側貯湯タンク４の上部と連結している側の前記連結管５の端部に空気取入弁１４を設け、複数の貯湯タンク４，６の同時排水を可能にした。【選択図】  図２
2007247955.tif 000002
【特許請求の範囲】
【請求項１】
直列接続された複数の貯湯タンクと、取水側貯湯タンクの上部と給湯側貯湯タンクの底部とを連結する連結管と、一端が前記複数の貯湯タンクの底部と連通するように接続された複数の排水管と、前記複数の排水管を互いに接続して合流させ、その合流部又は合流部よりも下流側に設けた１つの排水バルブと、を備えた貯湯式給湯器において、前記取水側貯湯タンクの上部と連結している側の前記連結管の端部に空気取入弁を配置したことを特徴とする貯湯式給湯器。
【請求項２】
前記取水側貯湯タンクの底部と連通するように接続された排水管は、給水管の一部を経由して前記取水側貯湯タンクの底部と連通するように接続したことを特徴とする請求項１記載の貯湯式給湯器。
【発明の詳細な説明】
【技術分野】
【０００１】
本発明は、複数の貯湯タンクを直列接続した貯湯式給湯器に関するものである。
【背景技術】
【０００２】
従来、複数の貯湯タンクを直列接続した貯湯式給湯器は知られている。これまで、このような貯湯式給湯器においては、取水側の貯湯タンク１ｂと給湯側の貯湯タンク１ａからの排水は1つの排水弁２９の開放によって外界へ排水されるようになっている（例えば、特許文献１参照）。
【０００３】
【特許文献１】特開２００５−１６４１５３号公報（図１）
【発明の開示】
【発明が解決しようとする課題】
【０００４】
しかしながら、実際には、この１つの排水弁２９を用いた構成では、逃し弁の空気が給湯側の貯湯タンク１ａにしか混入せず、取水側の貯湯タンク１ｂの排水が同時に開始されない。取水側（の貯湯タンク１ｂの排水は、給湯側の貯湯タンク１ａの水位が給湯側の貯湯タンク１ａと貯湯タンク連結管の接合部まで下がってから、連結配管２を介しての空気の混入が開始されるので、その後行われることになる。つまり、直列2タンク方式であるがゆえに、タンク２本分の排水時間と同等の時間を要してしまうという問題点があった。
【０００５】
本発明は、上記のような問題点を解消するためのもので、排水時間を短縮できる貯湯式給湯器を提供すること目的とする。
【課題を解決するための手段】
【０００６】
本発明の貯湯式給湯器は、直列接続された複数の貯湯タンクと、取水側貯湯タンクの上部と給湯側貯湯タンクの底部とを連結する連結管と、一端が前記複数の貯湯タンクの底部と連通するように接続された複数の排水管と、前記複数の排水管を互いに接続して合流させ、その合流部又は合流部よりも下流側に設けた１つの排水バルブと、を備えた貯湯式給湯器において、前記取水側貯湯タンクの上部と連結している側の前記連結管の端部に空気取入弁を配置したものである。
【発明の効果】
【０００７】
本発明の貯湯式給湯器によれば、取水側貯湯タンクの上部と連結している側の前記連結管の端部に空気取入弁を配置したので、排水時に、この空気取入弁から空気を取り入れることによって、取水側貯湯タンクと給湯側貯湯タンクの両方から同時排水を行わせることができ、排水時間を短縮することができるという効果がある。また、これにより、サービス性の向上にも繋がるという効果がある。
【発明を実施するための最良の形態】
【０００８】
実施の形態１．
図１は本発明の実施の形態１を示す貯湯式給湯器の要部構成図であり、以下、図面に基づき本構成についての詳細を説明する。
【０００９】
図１において、給湯器本体１は、直列接続された２つの貯湯タンク４，６を備えている。取水側貯湯タンク４の底部には水を供給する給水管２が接続されている。前記給水管２の経路には手動にて開閉操作される止水栓２ａと給水圧力を所定の圧力に減圧する減圧弁３が介設されている。
取水側貯湯タンク４の上部と給湯側貯湯タンク６の底部とは連結管５で接続されており、給湯側貯湯タンク５の上部には湯を取り出す給湯管８が接続されている。そして、取水側貯湯タンク４の底部には加熱源としてのヒートポンプユニット１５に低温水を供給する流出配管１６が接続され、給湯側貯湯タンク６の上部には前記ヒートポンプユニット１５で加熱された高温水を貯湯タンク６に流入させる流入配管１７が接続されている。この際、図示していないが、流出配管１６の経路には循環ポンプが介設されている。
【００１０】
前記給湯管８の経路には沸き上げ時の膨張水を排出する逃し弁７、給湯管８からの湯と前記給水管２から分岐した分岐給水管２ｃからの水とを混合する風呂側混合弁９、及び給湯側混合弁１０が接続されており、これら混合弁９，１０より取り出した混合湯を浴槽（図示せず）に供給したり、台所や洗面所に供給したりすることができる。
【００１１】
なお、給水管２は取水側貯湯タンク４の底部と接続される経路と分岐される分岐部２ａを備え、この分岐部２ａに取水側貯湯タンク内の水を排水する第１の排水管１２の一端が接続されている。また、給湯側貯湯タンク６の底部には第２の排水管１３の一端が接続されている。前記第１の排水管１２と第２の排水管１３の他端は互いに接続されて合流され、その合流部に排水バルブ１１を接続している。さらに、前記取水側貯湯タンク４の上部と連結している側の連結管５の端部に位置して取水側貯湯タンク４内の水を排水するときに開いて前記取水側貯湯タンク４内に空気を取り入れるための空気取入弁１４を配置している。
【００１２】
次に、本実施の形態１における貯湯式給湯器の動作について説明する。
まず、給水時には、止水栓２ａは開放されており、給水管２から給水される水は減圧弁３で所定圧に減圧されて取水側貯湯タンク４の下部より給水され、連結管５、貯湯側貯湯タンク６の順に給水され、直列接続された２つの貯湯タンク４，６にそれぞれ水が満たされる。この際、空気取入弁１４は閉じられていて外界と遮断され、逃し弁７を開いておく。２つの貯湯タンク４，６に水が満水状態になると、逃し弁７を介して水が外界へ排出され始めるので、その後、逃し弁７が閉じられる。
【００１３】
沸き上げ時には、２つの貯湯タンク４，６とは流入配管１６と流出配管１７とで循環回路を構成するように接続されているヒートポンプユニット１５で貯湯水をリモコン（図示せず）で設定された温度（例えば９０℃）まで沸き上げる。
なお、沸き上げ時の２つの貯湯タンク４，６の膨張水は逃し弁７より排出される。  
【００１４】
次に使用時の動作について説明する。
リモコン（図示せず）より、給湯または風呂湯張り開始の指示を受けると、所定の設定温度に基づき制御部（図示せず）が混合弁の起動開度を計算し、風呂側混合弁９または給湯混合弁１０の開度を起動させる。この際、空気取入弁１４と逃し弁７は閉じられているため，外界と遮断される。
【００１５】
図２は本発明の実施の形態１を示す貯湯式給湯器の排水時の要部構成図であり、以下、図面に基づき本構成での排水時の動作について詳細に説明する。
【００１６】
本実施の形態１の貯湯式給湯器においては、取水側貯湯タンク４と給湯側貯湯タンク６の満水状態から排水状態へ移行される。そこで、この本実施の形態１の構成においては、まず、排水状態に移行される前に、逃し弁７と空気取入弁１４を開いておき、空気の混入が可能な状態にする。その後、排水バルブ１１を開き、排水動作を開始させる。
【００１７】
排水動作を開始すると、前記取水側貯湯タンク４内には空気取入弁１４から連結管５の端部を介して空気が吸引され、また、前記給湯側貯湯タンク６内には逃し弁７から給湯管８を介して空気が吸引される。これにより、本実施の形態１の構成からなる貯湯式給湯器においては、前記取水側貯湯タンク４内の水は給水管２の一部を経由して第１の排水管１２から排水バルブ１１を経て排水され、また、前記給湯側貯湯タンク６内の水は第２の排水管１３から排水バルブ１１を経て排水される。従って、２つの貯湯タンク４，６内から同時に排水を開始させることができるので、従来のように貯湯側貯湯タンク６の排水が終わってから取水側貯湯タンク４の排水が行われるという順番で排水されていたものに比べて、排水時間を大幅に短縮することができる。よって、サービス性の向上にも繋がる。
【００１８】
なお、上記実施の形態１においては、排水バルブ１１を第１の排水管１２と第２の排水管１３が合流する合流部に接続した構成にて説明したが、本発明はこの構成に特定されるものではなく、例えば、合流部よりも下流側に排水バルブ１１を設けてもよいものであり、要旨を脱しない範囲で適宜変更できることは言うまでもない。
【図面の簡単な説明】
【００１９】
【図１】本発明の実施の形態１を示す貯湯式給湯器の要部構成図である。
【図２】本発明の実施の形態１を示す貯湯式給湯器の排水時の要部構成図である。
【符号の説明】
【００２０】
１  給湯器本体、２  給水管、３  減圧弁、４  取水側貯湯タンク、５  連結管、６  給湯側貯湯タンク、７  逃し弁、８  給湯管、９  風呂側混合弁、１０  給湯側混合弁、１１  排水バルブ、１２  第１の排水管、１３  第２の排水管、１４  空気取入弁、１５  ヒートポンプユニット、１６  流入配管、１７  流出配管
【図１】
2007247955.tif 000003
【図２】
2007247955.tif 000004